(57)【要約】【課題】表示パネルが見えにくい方向を向くように取り付けられていても、表示パネルを見えやすい角度に調整することができる表示パネル支持装置を提供する。【解決手段】本発明の表示パネル支持装置は、鉛直な被固定面２にその背面が沿うように固定される固定部材５と、前面側に表示パネル３が取り付けられる可動部材６と、固定部材５と可動部材６とを連結すると共に可動部材６が固定部材５に近接した後退位置から前方に出た前進位置まで移動自在となるよう駆動する連結支持部材７とを備えている。可動部材６は、前方に取り付けられた表示パネル３を前傾させ且つこの前傾角度が変更可能に構成した。【選択図】図１
2011048115.tif 000002
【特許請求の範囲】
【請求項１】
鉛直な被固定面にその背面が沿うように固定される固定部材と、前面側に表示パネルが取り付けられる可動部材と、固定部材と可動部材とを連結すると共に可動部材が固定部材に近接した後退位置から前方に出た前進位置まで移動自在となるよう駆動する連結支持部材とを備え、可動部材は、前方に取り付けられた表示パネルを前傾させ且つこの前傾角度が変更可能に構成されていることを特徴とする表示パネル支持装置。
【請求項２】
前記可動部材は、表示パネルが取り付けられるパネル取付部が傾倒自在に設けられており、該パネル取付部に、該パネル取付部の傾倒角度を調整し且つこの傾倒状態を保持する角度調整手段が設けられた請求項１記載の表示パネル支持装置。
【発明の詳細な説明】
【技術分野】
【０００１】
本発明は、液晶テレビやプラズマテレビなどの平面状の表示パネルを支持する装置に関するものである。
【背景技術】
【０００２】
近年、液晶テレビやプラズマテレビなどの平面状の表示パネルが普及してきている。このような表示パネルは専用の支柱や支持脚を付設し、床上に直接またはテレビ台などのラック上に載せて設置したり、壁に金具で掛け止めしたりして、壁面に沿わせて設置するなどして使用されている。壁面に沿わせての設置形態として、利用者が使うときなどに、壁面から前方へ突出させて使用するといった使用形態が、例えば特許文献１により提案されている。
【０００３】
この特許文献１により示されたものは、壁面に板状の固定部材（特許文献１中のベース板３）が固定され、前方に突出した枢支手段（特許文献１中の軸受部１５）がこの固定部材に設けられ、この突設された枢支手段に表示パネルが支持されている。この枢支手段は、表示パネルの背面に設けられた縦軸からなる軸部を枢支することで、表示パネルを見る人の位置に合わせて左右に回動できるように取り付けられている。
【先行技術文献】
【特許文献】
【０００４】
【特許文献１】特開２００７−３３５９２９号公報
【発明の概要】
【発明が解決しようとする課題】
【０００５】
ところで、薄型テレビなどの表示パネルを見る場合、その表示パネルの表示面の正面に視聴する者の目が位置することが好ましい。しかし、上記特許文献１により示す表示パネル支持装置は、視聴する者が表示パネルの表示面に対し左右にずれた位置にいる場合には左右方向の角度調整ができるものの、視聴する者が椅子やソファーに座った状態であったり、横たわった状態であったり、或いは直接床に座った状態であったりした場合などのように、表示パネルに対して上下方向の角度のある場所に視聴する者の目が位置するような場合には、表示パネルを見えやすい位置に角度調整することができないという問題があった。
【０００６】
本発明は、上記事情に鑑みてなされたものであり、その目的とするところは、表示パネルを見る人が表示パネルに対して上下方向の角度のある場所から見ている場合であっても、表示パネルを見えやすい角度に調整することができる表示パネル支持装置を提供することにある。
【課題を解決するための手段】
【０００７】
上記課題を解決するために本発明の表示パネル支持装置は以下の構成を備えている。
【０００８】
すなわち、本発明の表示パネル支持装置は、鉛直な被固定面２にその背面が沿うように固定される固定部材５と、前面側に表示パネル３が取り付けられる可動部材６と、固定部材５と可動部材６とを連結すると共に可動部材６が固定部材５に近接した後退位置から前方に出た前進位置まで移動自在となるよう駆動する連結支持部材７とを備えている。可動部材６は、前方に取り付けられた表示パネル３を前傾させ且つこの前傾角度が変更可能に構成されている。
【０００９】
このような構成によれば、薄型テレビなどの表示パネル３を可動部材６に取り付けた状態で、可動部材６はこの表示パネル３を前傾させ且つこの前傾角度を変更可能にさせる。表示パネル３を前傾させると、表示パネル３の表示面が下方に向いた状態となる。その状態から、表示パネル３の前傾角度を変更させることで、表示パネル３の表示面の角度が調節される。
【００１０】
また、本発明に係る表示パネル支持装置において、前記可動部材６は、表示パネル３が取り付けられるパネル取付部６３が傾倒自在に設けられ、該パネル取付部６３に、該パネル取付部６３の傾倒角度を調整し且つこの傾倒状態を保持する角度調整手段が設けられていると好ましい。
【００１１】
このような構成によれば、パネル取付部６３を表示パネル３が見えやすくなるような所望の角度に調整しその角度に維持させ、表示パネル３を見やすい角度にすることができる。
【発明の効果】
【００１２】
本願発明によれば、表示パネルを見る人が表示パネルに対して上下方向の角度のある場所から見ている場合であっても、表示パネルを見えやすい角度に調整することができる。
【図面の簡単な説明】
【００１３】
【図１】本発明の一実施形態の全体構成を説明するための斜視図である。
【図２】同上の可動部材を説明するための斜視図であり（ａ）は前方からの斜視図であり（ｂ）は後方からの斜視図である。
【図３】同上のパネル取付部の構成を説明するための斜視図である。
【図４】同上のパネル取付部の動作を説明するための側面図であり（ａ）は表示パネルが垂直となる状態の可動部材を説明する図であり（ｂ）は表示パネルが前傾する状態の可動部材を説明する図であり（ｃ）は前傾状態から前傾角度を調整した状態の図である。
【図５】同上の角度調整手段を説明するための断面図である。
【図６】同上の固定部材の分解斜視図である。
【図７】同上の連結支持部材の分解斜視図である。
【図８】同上の上方から見た平面図である。
【図９】同上の表示パネルを取り付けた表示パネル支持装置の後退位置にある平面図である。
【図１０】同上の後退位置から前進させた状態の平面図である。
【図１１】同上の表示パネルを左右に回動させた状態を説明するための平面図である。
【発明を実施するための形態】
【００１４】
以下、本発明の実施形態について添付図面に基づいて説明する。
【００１５】
図１〜図１１に示された本実施形態の表示パネル支持装置１は、部屋又は家具の壁の前面に取り付けられ、液晶テレビやプラズマテレビ、コンピュータのディスプレイ等の薄型で平面状の表示パネル３を移動可能に支持するものである。
【００１６】
なお、以下では、図１に示されるように鉛直な被固定面２に取り付けられた表示パネル支持装置１から見て室内側の方向（矢印Ｆ）を前方、壁側の方向（矢印Ｂ）を後方、後方を向いた時に壁に沿う横方向を左右方向（矢印Ｌが左、矢印Ｒが右）と定義して説明する。
【００１７】
図１に示されるように、表示パネル支持装置１は、背面側が鉛直な被固定面２に固定される固定部材５と、前面側に表示パネル３が取り付けられる可動部材６と、可動部材６が固定部材５に近接した後退位置から前方に出た前進位置まで移動自在となるよう固定部材５と可動部材６とを連結する連結支持部材７とで主体が構成されている。
【００１８】
可動部材６は、左右方向の金属製の枠材８を構成する横支持部材６１と、上下方向の金属製の枠材８を構成する縦支持部材６２とを矩形状に枠組みして構成されている。図２に示されるように、この縦支持部材６２には、パネル取付部６３が傾倒自在に設けられている。このパネル取付部６３は、正面視左右方向の回動軸６４によってその上端が縦支持部材６２に枢支されている。図３及び図４のように、縦支持部材６２の前方側の下部には下方ほど後方に位置する傾斜部６５が形成されており（なお、図３中紙面に向かって右が後方となっている）、縦支持部材６２に枢支されたパネル取付部６３を前記傾斜部６５に沿わせると、このパネル取付部６３は下方ほど後方に位置するような前傾姿勢となる。また、パネル取付部６３の下端部及び上端部には係止孔６６が設けられている。この係止孔６６の前方から表示パネル３の背面の係止部（図示せず）を引掛けることにより、表示パネル３がパネル取付部６３に取り付けられる。パネル取付部６３は、断面略コ字形状となっており、その両側方には、パネル取付部６３の傾倒角度を規制する規制用長孔６７と、後述する引掛け部材４を連結させるための連結孔６８とが穿設されている。
【００１９】
この引掛け部材４は、図３に示されるように、断面略コ字形状の金属片から構成されている。引掛け部材４の両側面には、ねじにより前記連結孔６８と連結される被連結孔４１が形成されている。本実施形態におけるこの被連結孔４１には、めねじ部が螺設されている。また、図５のように、引掛け部材４の背面には貫通孔４２が穿設されており、縦支持部材６２の背面に穿設されたタップ孔４３に螺合される調整ねじ４６の先端部がこの貫通孔４２に挿通され、この状態で抜け止め部材４４により抜け止めが図られている。本実施形態においては、縦支持部材６２の背面に穿設されたタップ孔４３と調整ねじ４６と引掛け部材４と抜け止め部材４４と連結孔６８とで、パネル取付部６３の傾倒角度を調整し且つこの傾倒状態を保持する角度調整手段が構成されている。
【００２０】
図３に示されるように、縦支持部材６２に回動軸６４を介して軸支されたパネル取付部６３の規制用長孔６７の側方から固着具を挿通し、縦支持部材６２に設けられた規制孔６２１と連結させる。さらに、パネル取付部６３の連結孔６８の側方からねじを挿通すると共に被連結孔４１に螺合させ、パネル取付部６３と引掛け部材４とを連結させる。
【００２１】
このように構成された可動部材６は、パネル取付部６３に表示パネル３が取り付けられた状態で、この表示パネル３を前傾させる。そしてこの状態にある表示パネル３の前傾角度を更に調整することができるものである。ここで、図４（ａ）には表示パネルの表示面が垂直面となるような可動部材６の状態が示されている。図４（ｂ）には表示パネル３を前傾させた場合の可動部材６の状態が示され、図４（ｃ）には表示パネル３の前傾角度を調整した場合の可動部材６の状態が示されている。
【００２２】
パネル取付部６３に取り付けられた表示パネル３を、垂直な状態から前傾させた状態に角度を調整させるには、縦支持部材６２の背面から螺合された調整ねじ４６の螺合状態を変化させて、調整ねじ４６を螺退させる。つまり縦支持部材６２の背面から突出する調整ねじ４６の頭部側の突出寸法を大きくする。すると抜け止め部材４４が後退し（縦支持部材６２側に引き寄せられ）、それに伴い引掛け部材４も後退する。この引掛け部材４に連結されたパネル取付部６３が、この引掛け部材４とともに縦支持部材６２に引き寄せられる。この状態のパネル取付部６３に取り付けられている表示パネル３は前傾した状態となる。
【００２３】
この状態から、表示パネル３の前傾角度をさらに大きく前傾させるように角度調整する場合には、調整ねじ４６をさらに後退させる。なお、調整ねじ４６の後退を継続させると、パネル取付部６３が縦支持部材６２の傾斜部６５に沿った状態となる。この状態が表示パネル３の最大前傾角度となる。
【００２４】
次に、前傾した姿勢にある表示パネル３の前傾角度が小さくなるように角度調整をするには、調整ねじ４６を螺進させる。つまり、縦支持部材６２の背面から突出する調整ねじ４６の頭部側の突出寸法を小さくする。すると、調整ねじ４６の先端がパネル取付部６３の背面を押圧し、そのまま調整ねじ４６を螺進させ続けることで、表示パネル３の表示面が垂直面となり、さらに螺進させると表示パネル３の表示面がやや上を向いた状態となる。なお、調整ねじ４６を螺進させていくと、調整ねじ４６の頭部が縦支持部材６２の背面に当接した状態となり、この状態が角度調整の限界位置となる。
【００２５】
このような可動部材６の横支持部材６１には、図１に示されるように、背面の左右方向の中央部に軸受け１０が夫々固着されている。また、可動部材６の上の横支持部材６１の背面において軸受け１０より左方に位置する部分にはスライド機構１１が設けられている。
【００２６】
固定部材５は鉛直な被固定面２である壁に沿って固定される正面視略矩形状の金属製のプレートによって構成されている。固定部材５には複数の固着具挿通孔１２が穿設され、これら固着具挿通孔１２にビス等の固着具（図示せず）を挿通し、被固定面２に固着することによって固定部材５は被固定面２に固定される。
【００２７】
図６に示されるように固定部材５の前面において左右方向の中央部の上下には軸受け１３が固着され、また、固定部材５の前面において両軸受け１３よりも左方の上下には、左右に長いガイドレール１５が設けられている。
【００２８】
図７に示されるように、連結支持部材７は、２個のアーム１６ａ、１６ｂの中間部同士を上下に長い連結縦軸１７で縦軸回りに回動自在に連結してなり、両アーム１６ａ、１６ｂは平面視でＸ字状をなす。連結支持部材７は後端側が固定部材５に連結されると共に前端側が可動部材６を縦軸回りに回動自在に支持するものであり、可動部材６を固定部材５に対して前後方向に移動したとき、前後方向に伸縮するように駆動する。この連結支持部材７は、可動部材６が固定部材５に近接した後退位置から前方に出た前進位置まで移動自在となるよう駆動するように構成されている。
【００２９】
図７に示されるように２個のアーム１６ａ、１６ｂのうちの一方のアームである第一アーム１６ａは、上下に離間した横長で平行な二本の連結材１８の両端部同士を回動縦軸１９で連結したものである。上下の連結材１８の中間部には連結縦軸１７が回動自在に挿通される。
【００３０】
第一アーム１６ａの固定部材５側の回動縦軸１９（以下、回動縦軸１９ａと記載する）の上下両端部は、連結材１８より突出し、各突出部分は対応する軸受け１３に縦軸回りに回動自在に支持されている。すなわち、第一アーム１６ａの一端部は固定部材５に縦軸回りに回動自在に連結されている。
【００３１】
第一アーム１６ａの可動部材６側の回動縦軸１９の上端部は、上の連結材１８よりも上方に突出している。同部は図１に示される縦長棒状の操作レバー２０の下端部に縦軸回りに回動自在に連結されている。
【００３２】
図１に示されたように、操作レバー２０は、第一アーム１６ａの可動部材６側の端部を連結する連結部を構成し、スライド機構１１に対して上下に貫通して設けられ、スライド機構１１に対して横方向にスライド自在となっている。すなわち、第一アーム１６ａの可動部材６側の端部は可動部材６に縦軸回りに回動自在に且つ横方向にスライド自在に連結されている。
【００３３】
操作レバー２０はスライド機構１１の上面部を構成するガイド部２１に形成されたガイド孔２２に挿通され、ガイド部２１によってそのスライド方向が規制される。
【００３４】
ガイド孔２２は、図８に示されるように可動部材６の背面に沿う左右に長い直線状の孔からなる回動規制部２３と、回動規制部２３の右側端部に接続されて平面視で左方に向かって凸となる円弧状に形成された孔からなる回動許容部２５とで構成されている。回動許容部２５はその長手方向の中間部が回動規制部２３に接続され、すなわちガイド孔２２は右側端部で前後に分岐した孔となっている。
【００３５】
他方、第二アーム１６ｂは、図７のように横長の連結材２６の両端部に回動縦軸２７を設けたものである。連結材２６の中間部は第一アーム１６ａの上下の連結材１８の中間部の間に位置し、同部には連結縦軸１７が縦軸回りに回動自在に挿通され、該連結縦軸１７によって両アーム１６ａ、１６ｂが連結される。
【００３６】
第二アーム１６ｂの可動部材６側の回動縦軸２７（以下、回動縦軸２７ａと記載する）は、図８に示されるように平面視で円弧状の回動許容部２５の円弧中心に位置し、該回動縦軸２７ａの上下両端部は連結材２６よりも突出している。図１のように、各突出部分は対応する軸受け１０に縦軸回りに回動自在に支持されている。すなわち、第二アーム１６ｂの一端部は可動部材６に縦軸回りに回動自在に連結されている。
【００３７】
図７のように第二アーム１６ｂの固定部材５側の回動縦軸２７の上下両端部は連結材１８より突出し、各突出部分には縦軸回りに回転自在となるローラー２８が設けられている。
【００３８】
各ローラー２８は、第二アーム１６ｂの固定部材５側の端部を連結する連結部を構成し、前記固定部材５の対応するガイドレール１５に左右方向に移動自在に収納される。これによって第二アーム１６ｂの固定部材５側の端部は可動部材６に縦軸回りに回動自在且つ横方向にスライド自在に連結される。また、図示は省略するが、固定部材５には、各ローラー２８の左右のスライド範囲を所定範囲に制限するためのストッパーが設けられている。
【００３９】
前記連結支持部材７により固定部材５に連結された可動部材６は、固定部材５に沿った図９に示す後退位置から図１・図８・図１０に示す前方に出た前進位置までの範囲で移動自在となり、また、前進位置においては回動縦軸２７ａを中心に縦軸回りに回動自在となっている。
【００４０】
図９に示すように後退位置にある可動部材６は、被固定面２となる壁に最も近づいた状態となり、可動部材６及び表示パネル３の夫々の前面が壁面と直交する前方を向く。このように可動部材６を後退位置に配置することで、表示パネル３を部屋に居る人にとって邪魔になり難い位置に配置することができる。
【００４１】
可動部材６が後退位置にあるときには、連結支持部材７は両アーム１６ａ、１６ｂが壁被固定部２に沿った収縮状態となり、ガイドレール１５に沿ってスライドする各ローラー２８はそのスライド範囲における左側端部に配置され、また、ガイド部２１に沿ってスライドする操作レバー２０は回動規制部２３の左側端部に配置される。
【００４２】
後退位置に配置された可動部材６を前進位置に配置するには、操作レバーを回動規制部２３に沿って右方向に移動させる。このようにすると、連結縦軸１７で互いに連結された第一アーム１６ａ及び第二アーム１６ｂのうち、第一アーム１６ａが回動縦軸１９ａを中心として前方に回動すると共に、第二アーム１６ｂが回動縦軸２７ａを中心として後方に回動する。操作レバー２０が回動許容部２５に至るのと同時に、第二アーム１６ｂに設けられた各ローラー２８がガイドレール１５に沿って右方にスライドしてそのスライド範囲における右側端部に配置される。これによって連結支持部材７は伸長して、図１０に示されるように連結支持部材７の前側に連結された可動部材６と表示パネル３が前面を前方に向けて回動不能とされた状態のまま前進し、図８のように可動部材６が被固定部２から前方に出た前進位置に配置される。
【００４３】
このように可動部材６が前方を向けた状態のまま最も固定部材５から離れた前進位置に配置されると、操作レバー２０は回動許容部２５の長手方向の中間部に配置されて、回動許容部２５において前後両側に移動可能となり、この結果、可動部材６は図１１のように両アーム１６ａ、１６ｂを固定部材５に対して回動することなく回動縦軸２７ａを中心として回動することが可能となる。
【００４４】
例えば、前進位置にある可動部材６を回動縦軸２７ａを中心に平面視で左回りに回動すると、操作レバー２０が回動許容部２５の後側に向かってスライドし、図１１のように最大限回動させた状態で回動許容部２５の後端部に至る。
【００４５】
逆に、前進位置にある可動部材６を回動縦軸２７ａを中心に平面視で右回りに回動すると、操作レバー２０が回動許容部２５の前側に向かってスライドし、最大限回動させた状態で回動許容部２５の前端部に至る。なお、図１１では、可動部材６を最大限右回りで回動させたときの表示パネル３を２点鎖線で示している。
【００４６】
このような構成によれば、薄型テレビなどの表示パネル３を可動部材６に取り付けた状態で、この可動部材６は、この表示パネル３を前傾させ且つこの前傾角度を変更可能にさせる。表示パネル３を前傾させると、表示パネル３の表示面が下方に向いた状態となる。その状態から、表示パネル３の前傾角度を変更させることで、表示パネル３の表示面の角度が調節される。このため、表示パネル３を見る人が表示パネル３に対して上下方向から角度のある場所から見ている場合であっても、該表示パネル３を見えやすい角度に調整することができるようになる。
【００４７】
なお、本実施形態において角度調整手段は、縦支持部材６２の背面に穿設されたタップ孔４３と調整ねじ４６と引掛け部材４と抜け止め部材４４と連結孔６８とで構成されていたが、本発明はこの構成のみに限定されるものではない。
【符号の説明】
【００４８】
１      表示パネル支持装置
２      被固定面
３      表示パネル
５      固定部材
６      可動部材
６１    横支持部材
６２    縦支持部材
７      連結支持部材
８      枠材
９      係止孔
１１    スライド機構
１６ａ  第一アーム
１６ｂ  第二アーム
１７    連結縦軸
１８    連結材
１９    回動縦軸
２０    操作レバー
２１    ガイド部
２２    ガイド孔
２３    回動規制部
２５    回動許容部
２６    連結材
２７    回動縦軸
【図１】
2011048115.tif 000003
【図２】
2011048115.tif 000004
【図３】
2011048115.tif 000005
【図４】
2011048115.tif 000006
【図５】
2011048115.tif 000007
【図６】
2011048115.tif 000008
【図７】
2011048115.tif 000009
【図８】
2011048115.tif 000010
【図９】
2011048115.tif 000011
【図１０】
2011048115.tif 000012
【図１１】
2011048115.tif 000013